(57)【特許請求の範囲】
【請求項１】
遊技機を制御する制御基板が収納される基板収納ボックスであって、
前記基板収納ボックスは、前記遊技機に取り付けられるベース体と、そのベース体を覆う蓋体とを備えるとともに、前記ベース体と前記蓋体との間であって当該蓋体の蓋板部の周縁部に前記ベース体に向けて凹状に形成される凹部には同ベース体の周縁より内側の底面部上面に設けられるねじ込み穴を有する封印ボス部に対し、蓋体の周縁より内側の蓋板部下面に形成される方形状の配設孔の中央部に開口孔部を有し且つ切断工具により切断分離可能なように両側部に略Ｖ字状の切断用切込部が形成された一対の切断用連結片によって当該配設孔に架設される封印締付部から前記封印ボス部に封印ネジをねじ込んで当該封印ネジの頭部を前記開口孔に嵌挿される封印キャップで閉じた状態で封印する所要数の封印部を有する封印手段が配設され、
前記蓋体には、内側壁部と外側壁部とが凹部空間を隔ててそれぞれ形成され、前記ベース体には、前記凹部空間に向けて突出する突壁部が形成され、
前記ベース体に対し蓋体が閉じられたときには、前記凹部空間に前記突壁部が隙間なく、あるいは僅かな隙間をもって嵌込まれて収納されることを特徴とする基板収納ボックス。
【請求項２】
遊技機を制御する制御基板が収納される基板収納ボックスであって、
前記基板収納ボックスは、前記遊技機に取り付けられるベース体と、そのベース体を覆う蓋体とを備えるとともに、前記ベース体と前記蓋体との間であって当該蓋体の蓋板部の周縁部に前記ベース体に向けて凹状に形成される凹部には同ベース体の周縁より内側の底面部上面に設けられるねじ込み穴を有する封印ボス部に対し、蓋体の周縁より内側の蓋板部下面に形成される方形状の配設孔の中央部に開口孔部を有し且つ切断工具により切断分離可能なように両側部に略Ｖ字状の切断用切込部が形成された一対の切断用連結片によって当該配設孔に架設される封印締付部から前記封印ボス部に封印ネジをねじ込んで当該封印ネジの頭部を前記開口孔に嵌挿される封印キャップで閉じた状態で封印する所要数の封印部を有する封印手段が配設され、
前記蓋体には、内側壁部と外側壁部とが凹部空間を隔ててそれぞれ形成され、前記ベース体には、前記凹部空間に向けて突出する突壁部が形成され、
前記ベース体に対し蓋体が閉じられたときには、前記凹部空間に前記突壁部が隙間なく、あるいは僅かな隙間をもって嵌込まれて収納されると共に、前記外側壁部が前記突壁部の外側面全体を覆うことを特徴とする基板収納ボックス。
【発明の詳細な説明】
【０００１】
【発明の属する技術分野】
この発明はパチンコ機やスロットマシンのような遊技機を制御する制御基板が収納される基板収納ボックスに関する。
【０００２】
【従来の技術】
パチンコ機やスロットマシンのような遊技機では、遊技機を制御する制御基板に搭載されたＲＯＭ等の半導体装置が、不正改造ＲＯＭ等の半導体装置に交換されないように防止するため、従来より制御基板を収納する基板収納ボックスに対し様々な工夫が施されている。一般に、基板収納ボックスは、制御基板が装着されるベース体と、そのベース体を覆う蓋体とを備えている。また、ベース体に対し蓋体は所要数の封印部を有する封印手段によって封印されている。これによって、蓋体の不測の開放を禁止して制御基板の不正改造等の不正行為を防止している。万一、蓋体が不測に開けられ、制御基板に対し不正行為が行われた場合には、封印手段の封印部が破損されていることを確認することで、前記不正行為が行われた事実を認識できるようになっていた。
【０００３】
【発明が解決しようとする課題】
ところで、ベース体と蓋体とが閉じられ所定数の封印部によって封印されている状態において、ベース体と蓋体との間のうち、隣接する封印部の間に対し、ドライバー、金属板、針金等を差し込んでベース体と蓋体との間に隙間を作り、その隙間から工具等を用いて、ＲＯＭの不正交換が行われる場合がある。このような不具合は、基板収納ボックスが大型化すればするほど発生し易くなる。このような問題点を考慮し、ベース体と蓋体との周縁部に対し、隣接する封印部の間隔を小さくして数多くの封印部を配設することで、ベース体と蓋体との間に隙間を作り難くしてＲＯＭの不正交換の防止対策を施すことが考えられる。しかしながら、ベース体と蓋体との周縁部に対し、間隔を小さくして数多くの封印部を配設すると、部品点数が多くなりかつ封印作業も厄介となる。この発明の目的は、前記問題点に鑑み、ベース体に対し蓋体を簡単な構造によって隙間が生じることなく閉じ状態に保持することができ、封印部の配設個数を軽減することができる基板収納ボックスを提供することである。
【０００４】
【課題を解決するための手段】
前記目的を達成するために、この発明の請求項１に係る基板収納ボックスは、遊技機を制御する制御基板が収納される基板収納ボックスであって、前記基板収納ボックスは、前記遊技機に取り付けられるベース体と、そのベース体を覆う蓋体とを備えるとともに、前記ベース体と前記蓋体との間であって当該蓋体の蓋板部の周縁部に前記ベース体に向けて凹状に形成される凹部には同ベース体の周縁より内側の底面部上面に設けられるねじ込み穴を有する封印ボス部に対し、蓋体の周縁より内側の蓋板部下面に形成される方形状の配設孔の中央部に開口孔部を有し且つ切断工具により切断分離可能なように両側部に略Ｖ字状の切断用切込部が形成された一対の切断用連結片によって当該配設孔に架設される封印締付部から前記封印ボス部に封印ネジをねじ込んで当該封印ネジの頭部を前記開口孔に嵌挿される封印キャップで閉じた状態で封印する所要数の封印部を有する封印手段が配設され、前記蓋体には、内側壁部と外側壁部とが凹部空間を隔ててそれぞれ形成され、前記ベース体には、前記凹部空間に向けて突出する突壁部が形成され、前記ベース体に対し蓋体が閉じられたときには、前記凹部空間に前記突壁部が隙間なく、あるいは僅かな隙間をもって嵌込まれて収納されることを特徴とする。したがって、ベース体に対し蓋体が閉じられた状態にあるときには、内壁部と外壁部との間の凹部空間に突壁部が隙間なく嵌込まれて収納される。このため、基板収納ボックスの周縁部の剛性が高められるとともに、外壁部に外力が作用しても外壁部が歪みにくい構造となる。これによって、外壁部を押えつけたり、あるいは引き付けて、蓋体とベース体との間に隙間を作ろうとしても隙間ができない。このため、基板収納ボックスが大型である場合においても、蓋体とベース体との間に隙間を作ってその隙間から金属板、針金等の異物を挿入し、ＲＯＭを不正交換する等の不正改造行為を防止することができる。しかも、ベース体と蓋体との周縁部に対し、数多く封印部を接近して配設する必要性を解消することができる。
【０００５】
また、請求項２に係る基板収納ボックスは、遊技機を制御する制御基板が収納される基板収納ボックスであって、前記基板収納ボックスは、前記遊技機に取り付けられるベース体と、そのベース体を覆う蓋体とを備えるとともに、前記ベース体と前記蓋体との間であって当該蓋体の蓋板部の周縁部に前記ベース体に向けて凹状に形成される凹部には同ベース体の周縁より内側の底面部上面に設けられるねじ込み穴を有する封印ボス部に対し、蓋体の周縁より内側の蓋板部下面に形成される方形状の配設孔の中央部に開口孔部を有し且つ切断工具により切断分離可能なように両側部に略Ｖ字状の切断用切込部が形成された一対の切断用連結片によって当該配設孔に架設される封印締付部から前記封印ボス部に封印ネジをねじ込んで当該封印ネジの頭部を前記開口孔に嵌挿される封印キャップで閉じた状態で封印する所要数の封印部を有する封印手段が配設され、前記蓋体には、内側壁部と外側壁部とが凹部空間を隔ててそれぞれ形成され、前記ベース体には、前記凹部空間に向けて突出する突壁部が形成され、前記ベース体に対し蓋体が閉じられたときには、前記凹部空間に前記突壁部が隙間なく、あるいは僅かな隙間をもって嵌込まれて収納されると共に、前記外側壁部が前記突壁部の外側面全体を覆うことを特徴とする。このため、蓋体とベース体との間に隙間を作ってその隙間から金属板、針金等の異物を挿入し、ＲＯＭを不正交換する等の不正改造行為を防止することができることに加えて、蓋体の外側壁部とベース体の突壁部との間に対しても金属板、針金等が差し込まれることを防止することができる。
【０００６】
【発明の実施の形態】
この発明の実施の形態を図面にしたがって説明する。基板収納ボックスを正面から表した図７、図７のＩ−Ｉ線に基づく断面で表した図１及び図７のＩＩ−ＩＩ線に基づく断面で表した図２において、パチンコ機やスロットルマシン等の遊技機の所要位置に装着される基板収納ボックス１０は、ベース体２０と、そのベース体２０を覆う蓋体３０とを備えている。この実施の形態において、ベース体２０及び蓋体３０は、無色透明または有色透明な合成樹脂の射出成形によってそれぞれ個別に一体成形されている。これによって基板収納ボックス１０の内部全体が透視可能となっている。ベース体２０は、略四角形状の底板部２１と、その底板部２１の周縁部に突設された突壁部２２とを備え、かつ制御基板１１を収納する一側が開口された収納室を有する箱形状に形成されている。
【０００７】
ベース体２０の突壁部２２は、その根元寄り部分が厚肉に形成され、これによって突壁部２２の内側面の根元寄り部分には、制御基板１１の裏側周縁部を受承する段差面２４が形成されている。また、図１に向かって左寄りに示すように、ベース体２０の底板部２１の周縁部近傍には、制御基板１１をビス２６によって締め付けるための所要数の締付用ボス部２５が段差面２４と略同じ高さ位置まで突設されている。そして、ベース体２０の収納室には、その突壁部２２の段差面２４に、制御基板１１の裏側周縁部が受承されて嵌込まれ、ビス２６が制御基板１１を通して締付用ボス部２５にねじ込まれる。これによって、ベース体２０の収納室に制御基板１１が収納されて固定されるようになっている。なお、制御基板１１の一側面には、パチンコ機、スロットルマシン等の遊技機を制御する制御回路を構成するための図示しないＲＯＭ、ＲＡＭ、ＩＣ、トランジスタ等の制御回路構成部品や各種コネクタ類が装着されている。
【０００８】
ベース体２０を覆う蓋体３０は、ベース体２０に対応する形状に形成されている。この蓋体３０の蓋板部３１の周縁部にはベース体２０に向けて凹む凹部３３が形成され、その凹部３３の裏側には、その外周縁に沿って内壁部３４が突設されている。この内壁部３４の先端部は、制御基板１１の一側面に当接する位置まで突設されている。また、蓋板部３１の凹部３３の外周縁には、その凹部３３の外側壁部及び内壁部３４との間にベース体２０の突壁部２２が嵌込まれて収納される凹部空間３６を隔てて対向する外壁部３５が形成されている。この外壁部３５は、ベース体２０の突壁部２２の外側面全体を覆うようにして形成されている。また、図１と図２に示すように、内壁部３４と外壁部３５との間に形成される凹部空間３６は、開口側が広く奥側が狭い断面テーパ状に形成される一方、ベース体２０の突壁部２２は、凹部空間３６に対応して、先端部に向かうにしたがって薄肉に形成されたテーパ状に形成されている。そして、突壁部２２と凹部空間３６とが隙間なく嵌合、あるいは僅かな隙間をもって嵌合するようになっている。なお、蓋体３０の蓋板部３１には、基板収納ボックス１０の内部で発生する熱を逃がすための多数の小孔状の放熱孔３８が貫設されている（図１参照）。
【０００９】
図７に示すように、ベース体２０と蓋体３０との間には、ベース体２０に対し蓋体３０を閉じ状態で封印する複数群の封印部群４０ａ、４０ｂ、４０ｃを有する封印手段４０が配設されている。この実施の形態では、ベース体２０と蓋体３０との間において、図７に向かって、上部中央部、左下コーナ部、及び右下コーナ部の計３ヶ所に封印部群４０ａ、４０ｂ、４０ｃがそれぞれ配設されている。各封印部群４０ａ、４０ｂ、４０ｃは、封印部材としての封印ネジ７０によって封印可能な複数（図では４つ）の封印部４１をそれぞれ備えている。これら各封印部４１は、それぞれ同一構造に構成され、封印ボス部５０、封印締付部６０及び封印ネジ７０をそれぞれ備えている。
【００１０】
すなわち、この実施の形態において、図３〜図５に示すように、ベース体２０の底板部２１上面の所定位置には、有底状のねじ込み穴５１を有する封印ボス部５０が制御基板１１に貫設の孔を通して同制御基板１１の上面と略同一高さ位置までそれぞれ突設されている。これに対し、蓋体３０周縁部の凹部３３底面の所定位置には、各封印ボス部５０に対応する位置において封印締付部６０を配設するための長方形状の配設孔６１が形成されている。この配設孔６１の長手方向には、中央部に封印締付部６０を有しかつ、ニッパー、カッター等の切断工具により切断可能な切断用連結片６２が架設されている。この実施の形態において、切断用連結片６２の図３に向かって上下部両側部には各複数対の略Ｖ字状の切断用切込部６２ａが形成されている。
【００１１】
図４と図５に示すように、封印締付部６０は有底の筒状に形成され、同封印締付部６０の中心部には、その上部から底部６４に向けて開口孔部６５、保持孔部６６及び貫通孔６７が同一中心線上にそれぞれ連通して形成されている。すなわち、封印締付部６０の上端面に開口する開口孔部６５の下端には、同開口孔部６５の略同径の保持孔部６６が形成され、その保持孔部６６の内周面には、封印ネジ７０をその頭部７２において弾性的に仮止めして保持するための仮止め用突部６６ａが突設されている。さらに、図５に示すように、保持孔部６６の下部の内周面には後述する封印キャップ８０を塞ぎ位置に係止する係止部６６ｂが形成されている。また、封印締付部６０の底部６４には、保持孔部６６に仮止めされた封印ネジ７０の先端部が挿通されかつ封印ボス部５０のねじ込み穴５１と同一中心線上に連通する貫通孔６７が貫設されている。この貫通孔６７は、封印ネジ７０のねじ込みによって弾性的に拡開されるように、底部６４には逃がし孔６４ａが貫設されている。
【００１２】
図６の（Ａ）及び（Ｂ）に示すように、封印ネジ７０は、ネジ軸部７１と頭部７２とを備えている。封印ネジ７０の頭部７２には、その軸方向の中央部に環状の溝が凹設されて脆弱破断部７４が形成され、その脆弱破断部７４を境として根元側を根元頭部７３とし、先端側を先端頭部７５としている。さらに、先端頭部７５の頂面にはプラスドライバに対応するねじ込み溝７６が凹設されている。すなわち、封印締付部６０に仮止めされた封印ネジ７０は、所定のトルクで封印ボス部５０のねじ込み穴５１にねじ込まれる。この封印ネジ７０がねじ込み端位置までねじ込まれ、その頭部７２に所定値以上のトルクが作用すると、図６の（Ｂ）に示すように、脆弱破断部７４が破断され先端頭部７５が切除されるようになっている。これによって封印部４１が封印されると共に、その封印ネジ７０が不測に外される不具合が防止されるようになっている。
【００１３】
また、図４と図５に示すように、封印ネジ７０によって封印された封印部４１において、その封印締付部６０には、その開口孔部６５に封印キャップ８０が差し込まれて塞がれる。この封印キャップ８０は、開口孔部６５を塞ぐ塞ぎ部８１と、その塞ぎ部８１から一体に延出され、保持孔部６６の係止部に弾性的に係合する一対の弾性係止片８２とを備えている。この実施の形態において、封印キャップ８０は、無色透明あるいは有色透明である蓋体３０に対し容易に区別できるように、蓋体３０とは異なる色をもつ透明、半透明、あるいは不透明な合成樹脂より形成されている。なお、封印キャップ８０の塞ぎ部８１の頂面を着色したり、所要とする色のテープを貼り付けても略同等の効果が得られる。また、この実施の形態において、図１に示すように、蓋体３０の蓋板部３１の内面には、各封印部群４０ａ、４０ｂ、４０ｃが配設される近傍に位置してそれぞれ３つの封印キャップ８０を弾性的に仮止め保持するためのキャップ保持部８５が突設されている。
【００１４】
また、この実施の形態において、図に示すように、各封印部群４０ａ、４０ｂ、４０ｃのそれぞれ４つの封印部４１には、その各切断用連結片６２の上面において、封印順位を示す「１、２、３、４」の封印番号９０が付されている。基板収納ボックス１０の組み立て完了時には、各封印部群４０ａ、４０ｂ、４０ｃの「１」の封印番号９０の封印部４１が封印ネジ７０によって封印される。各封印部群４０ａ、４０ｂ、４０ｃの「２、３、４」の封印番号９０の封印部４１は予備であって封印されていない。なお、封印番号９０は、印刷、刻み込み、樹脂成形金型によって付けることができる。また封印番号は、算用数字の他、ローマ数字、アルファベット、記号等でも代用することが可能である。
【００１５】
この実施の形態に係る遊技機の基板収納ボックス１０は上述したように構成される。したがって、ベース体２０と蓋体３０とを取り外し不能に封印する封印ネジ７０によって各封印部群４０ａ、４０ｂ、４０ｃの「１」の封印番号９０の封印部４１が封印されているため、制御基板１１の不正改造を防止することができる。また、当局の立ち入り検査等の場合において、蓋体３０を正当な理由の下に外したい場合には、３ヶ所の各封印部群４０ａ、４０ｂ、４０ｃの「１」の封印番号９０における切断用連結片６２を、図３に向かって上下２箇所において切断することにより、前記封印ネジ７０を締めつけたまま蓋体３０を簡単に取り外すことができる。しかも、切断用連結片６２を切断する際、その切断用連結片６２の両側部の略Ｖ字状の切断用切込部６２ａにおいて容易にかつ手早く切断することができ、切断作業性に優れる。また、３ヶ所の各封印部群４０ａ、４０ｂ、４０ｃにおける「２」の封印番号９０の封印部４１の保持孔部６６に仮止めされた封印ネジ７０をドライバによって封印ボス部５０に締めつけて封印すれば、基板収納ボックス１０を再使用することができる。上記の繰り返しにより、封印番号９０の「３」、「４」の順に封印をやり直すことができる。従って、この実施の形態の基板収納ボックス１０の場合、４回分の封印が行える。
【００１６】
上記した基板収納ボックス１０によると、予め図４に示すように封印部４１に封印ネジ７０を仮止めしておくことにより、封印に際し封印ネジ７０を即時に使用して封印することができる。従って、封印に際し封印ネジ７０を用意する手間を省くとともに、封印ネジ７０の紛失を防止することができる。また、封印ネジ７０が保持孔部６６の弾性によって仮止め保持されるので、ねじ締めによる仮止め保持と比べて、封印ネジ７０の仮止め作業が簡便に行えるため、封印ネジ７０の仮止めにかかる位置管理が容易に行える。また、封印番号９０により封印部４１の封印順位が明確に表示されるため、封印順位をホール管理者等が容易に管理することができ、不正改造行為を容易に発見することができる。
【００１７】
また、図６の（Ｂ）に示すように、封印ネジ７０の頭部７２の脆弱破断部７４が所定値以上のトルクで破断されねじ込み溝７６を有する先端頭部７５が切除されため、封印ネジ７０が不測に回転されて外される不具合を防止することができる。また、封印ネジ７０によって封印された封印部４１において、その封印締付部６０の開口孔部６５は封印キャップ８０によって塞がれるため、封印ネジ７０が不測に外される不具合をより一層確実に防止することができる。さらに、封印キャップ８０は蓋体３０とは異なる色を有しているため、封印キャップ８０の存在の有無が明確となり、これによって封印管理が容易となる。また、図１に示すように、蓋体３０の蓋板部３１の内面には、各封印部群４０ａ、４０ｂ、４０ｃが配設される近傍に位置して突設された各キャップ保持部８５に封印キャップ８０が弾性的に仮止め保持されるため、封印後、封印キャップ８０を用意する手間を省くとともに、封印キャップ８０の紛失を防止することができる。
【００１８】
さて、この実施の形態において、図１と図２に示すように、ベース体２０に対し蓋体３０が閉じられた状態にあるときには、蓋体３０周縁部の内壁部３４と外壁部３５との間の凹部空間３６にベース体２０周縁部の突壁部２２が嵌込まれて収納される。このため、基板収納ボックス１０の周縁部の剛性が高められるとともに、外壁部３５に外力が作用しても外壁部３５が歪みにくい構造となる。
【００１９】
したがって、外壁部３５を押えつけたり、あるいは引き付けて、蓋体３０とベース体２０との間に隙間を作ろうとしても隙間ができない。このため、基板収納ボックス１０が大型である場合においても、蓋体３０とベース体２０との間に隙間を作ってその隙間から金属板、針金等の異物を挿入し、ＲＯＭを不正交換する等の不正改造行為を防止することができる。しかも、ベース体２０と蓋体３０との周縁部に対し、数多く封印部群を配設し、これら数多く封印部群の各封印部４１を接近して配設する必要性を解消することができる。すなわち、この実施の形態では基板収納ボックス１０の周縁部３箇所に封印部群４０ａ、４０ｂ、４０ｃが配設され、これら各封印部群４０ａ、４０ｂ、４０ｃのそれぞれ１つ、合計３つの封印部４１を封印ネジ７０によって封印することで、ベース体２０と蓋体３０との間に隙間を作ってその隙間から金属板、針金等の異物を挿入し、ＲＯＭを不正交換する等の不正改造行為を確実に防止することができる。
【００２０】
また、この実施の形態において、図２に示すように、蓋体３０の蓋板部３１の周縁部にはベース体２０に向けて凹む凹部３３が形成され、その凹部３３の外周縁に沿って内壁部３４と外壁部３５とが凹部空間３６を隔てて形成されている。このため、蓋体３０自体の剛性も高められ、蓋体３０とベース体２０との間に隙間を作ってその隙間から金属板、針金等の異物を挿入し、ＲＯＭを不正交換する等の不正改造行為をより一層確実に防止することができる。さらに、蓋体３０の外壁部３５は、ベース体２０の突壁部２２の外側面全体を覆うようにして形成されている。このため、蓋体３０の外壁部３５とベース体２０の突壁部２２との間に対しても金属板、針金等が差し込まれることを防止することができる。
【００２１】
しかも、内壁部３４と外壁部３５との間に形成される凹部空間３６は、開口側が広く奥側が狭い断面テーパ状に形成される一方、ベース体２０の突壁部２２は、凹部空間３６に対応して、先端部に向かうにしたがって薄肉に形成されたテーパ状に形成されている。そして、突壁部２２と凹部空間３６とが隙間なく嵌合、あるいは僅かな隙間をもって嵌合するようになっている。このため、蓋体３０の外壁部３５とベース体２０の突壁部２２との間に対しても金属板、針金等が差し込まれることをより一層確実に防止される。
【００２２】
なお、この発明に係る基板収納ボックスは前記実施の形態の基板収納ボックス１０に限定するものではない。例えば、前記実施の形態では、ベース体２０と蓋体３０との間において、図７に向かって、上部中央部、左下コーナ部、及び右下コーナ部の計３ヶ所に封印部群４０ａ、４０ｂ、４０ｃがそれぞれ配設されている場合を例示したが、例えば、ベース体２０と蓋体３０との間の相対する側の２箇所のみに封印部群を配設してもよく、対角コーナ部の２箇所のみに封印部群を配設してもよい。封印部材としては破断可能な封印ネジ７０に限らず、例えば、一方向に対してはねじ込みを可能とし、反対方向に対しては回転不能としたいわゆるワンウエイネジによって封印部材を構成してもよい。
【００２３】
また、前記実施の形態では、ベース体２０周縁部に突壁部２２が形成され、蓋体３０周縁部に内壁部３４と外壁部３５とが凹部空間３６をもって形成される場合を例示したが、ベース体２０周縁部に対し、蓋体３０の内壁部３４又は外壁部３５が嵌込まれる凹部空間をもって内外２重の突壁部を突設してもよい。
【００２４】
【発明の効果】
以上述べたように、この発明によれば、ベース体と蓋体との相互に形成された内壁部と外壁部との間の凹部空間に突壁部が嵌込まれて収納されるという、きわめて簡単な構造によって、ベース体と蓋体との間に隙間を作ってその隙間から金属板、針金等の異物を挿入し、ＲＯＭを不正交換する等の不正改造行為を防止することができる。このため、数多くの封印部によってベース体と蓋体とを封印する手間を省くことができる。
【図面の簡単な説明】
【図１】この発明の実施の形態に係る基板収納ボックスを示す図７のＩ−Ｉ線に基づく断面図である。
【図２】同じく基板収納ボックスを示す図７のＩＩ−ＩＩ線に基づく断面図である。
【図３】同じく封印部を拡大して示す正面図である。
【図４】同じく封印部を示す図３のＩＶ−ＩＶ線に基づく断面図である。
【図５】同じく封印部を示す図３のＶ−Ｖ線に基づく断面図である。
【図６】同じく封印ネジを示す説明図である。
【図７】同じく基板収納ボックス全体を示す正面図である。
【符号の説明】
１０ 基板ボックス
１１ 制御基板
２０ ベース体
２２ 突壁部
３０ 蓋体
３４ 内壁部
３５ 外壁部
３６ 凹部空間
４１ 封印部
５０ 封印ボス部
６０ 封印締付部
７０ 封印ネジ
【図１】
0004374506.tif 000002
【図２】
0004374506.tif 000003
【図３】
0004374506.tif 000004
【図４】
0004374506.tif 000005
【図５】
0004374506.tif 000006
【図６】
0004374506.tif 000007
【図７】
0004374506.tif 000008